(57)【要約】【課題】    本発明の目的は、固定のみならず、固定の解除も良好な固定方法を提供するものである。【解決手段】    固定方法は、本体１は、対向する内壁面（２ａ１、２ａ２）２ａの内、一方の内壁面２ａ１に取り付けられ、対向する内壁面（２ａ１、２ａ２）２ａの内、他方の内壁面２ａ２と外面当接部材１３との間に対象物１０を位置させ、第１の係止部材１１を第２の係止部材１２に向かって前進させ、外面当接部材１３を外側に移動させ対象物１０を介して他方の内壁面２ａ２に押し付けて対象物１０を固定するものである。【選択図】図２
2013185630.tif 000002
【特許請求の範囲】
【請求項１】
対象物を固定する固定方法であって、
対向する位置に第１の孔と第２の孔とをそれぞれ有する本体と、
この第１の孔内に設けられ、先端に略円錐状の凸部又は略球面状の凸部を有する進退自在な第１の係止部材と、
前記第２の孔に設けられた雌ねじと、
この雌ねじに螺合し、先端に略円錐状の凸部又は略球面状の凸部を有する第２の係止部材と、
一端に前記第１の係止部材に係止される略円錐状の凹部又は略球面状の凹部を有する第１のガイド部を、他端に前記第２の係止部材に係止される略円錐状の凹部又は略球面状の凹部を有する第２のガイド部を、それぞれ有した外面当接部材と、
少なくとも、対向する内壁面を有する第１の部材とを備え、
前記本体は、前記対向する内壁面の内、一方の内壁面に取り付けられ、前記対向する内壁面の内、他方の内壁面と前記外面当接部材との間に前記対象物を位置させ、
前記第１の係止部材を前記第２の係止部材に向かって前進させ、前記外面当接部材を外側に移動させ前記対象物を介して前記他方の内壁面に押し付けて前記対象物を固定する
ことを特徴とする固定方法。
【請求項２】
対象物を固定する固定方法であって、
対向する位置に第１の孔と第２の孔とをそれぞれ有する本体と、
前記本体に設けられ、内部に前記第２の孔に連通する第３の孔を有し、外部形状が略円錐状の凸部又は略球面状の凸部を有する係止部と、
先端に前記第２の孔の内径より小さい先端部、前記第１の孔の内径より小さい外径部、この外径部の前記先端部の側に設けられ、前記先端部の側に向かって先細りとなるテーパ部を備えた進退自在な係止部材と、
一端に前記テーパ部に係止される略円錐状の凹部又は略球面状の凹部を有する第１のガイド部を、他端に前記係止部に係止される略円錐状の凹部又は略球面状の凹部を有する第２のガイド部を、それぞれ有し、前記第１のガイド部と前記第２のガイド部とに連通し、前記係止部材の前記先端部を通す通路を有した外面当接部材と、
少なくとも、対向する内壁面を有する第１の部材とを備え、
前記本体は、前記対向する内壁面の内、一方の内壁面に取り付けられ、前記対向する内壁面の内、他方の内壁面と前記外面当接部材との間に前記対象物を位置させ、
前記係止部材の先端部を前記第２の孔内に位置させた状態で、前記係止部材を前記第２の孔に向かって前進させ、前記外面当接部材を外側に移動させ前記対象物を介して前記他方の内壁面に押し付けて前記対象物を固定する
ことを特徴とする固定方法。
【請求項３】
対象物を固定する固定方法であって、
対向する位置に孔と略円錐状の凹部又は略球面状の凹部とをそれぞれ有する本体と、
前記孔内に設けられ、先端に略円錐状の凸部又は略球面状の凸部を有する進退自在な係止部材と、
一端に前記係止部材の前記略円錐状の凸部又は略球面状の凸部に係止される略円錐状の凹部又は略球面状の凹部を有する第１のガイド部を、他端に前記本体の前記略円錐状の凹部又は略球面状の凹部に係止される略円錐状の凸部又は略球面状の凸部を有する第２のガイド部を、それぞれ有した外面当接部材と、
少なくとも、対向する内壁面を有する第１の部材とを備え、
前記本体は、前記対向する内壁面の内、一方の内壁面に取り付けられ、前記対向する内壁面の内、他方の内壁面と前記外面当接部材との間に前記対象物を位置させ、
前記係止部材を前記本体の前記略円錐状の凹部又は略球面状の凹部に向かって前進させ、前記外面当接部材を外側に移動させ前記対象物を介して前記他方の内壁面に押し付けて前記対象物を固定する
ことを特徴とする固定方法。
【請求項４】
対象物を固定する固定方法であって、
対向する位置に第１の孔と第２の孔とをそれぞれ有する本体と、
この第１の孔内に設けられ、先端に略円錐状の凸部又は略球面状の凸部を有する進退自在な第１の係止部材と、
前記第２の孔に設けられた雌ねじと、
この雌ねじに螺合し、先端に略円錐状の凸部又は略球面状の凸部を有する第２の係止部材と、
一端に前記第１の係止部材に係止される略円錐状の凹部又は略球面状の凹部を有する第１のガイド部を、他端に前記第２の係止部材に係止される略円錐状の凹部又は略球面状の凹部を有する第２のガイド部を、それぞれ有した外面当接部材とを備え、
前記本体と前記外面当接部材との間に前記対象物を位置させ、
前記第１の係止部材を前記第２の係止部材に向かって前進させ、前記外面当接部材を移動させ前記対象物を介して前記本体の面に押し付けて前記対象物を固定する
ことを特徴とする固定方法。
【請求項５】
対象物を固定する固定方法であって、
対向する位置に第１の孔と第２の孔とをそれぞれ有する本体と、
前記本体に設けられ、内部に前記第２の孔に連通する第３の孔を有し、外部形状が略円錐状の凸部又は略球面状の凸部を有する係止部と、
先端に前記第２の孔の内径より小さい先端部、前記第１の孔の内径より小さい外径部、この外径部の前記先端部の側に設けられ、前記先端部の側に向かって先細りとなるテーパ部を備えた進退自在な係止部材と、
一端に前記テーパ部に係止される略円錐状の凹部又は略球面状の凹部を有する第１のガイド部を、他端に前記係止部に係止される略円錐状の凹部又は略球面状の凹部を有する第２のガイド部を、それぞれ有し、前記第１のガイド部と前記第２のガイド部とに連通し、前記係止部材の前記先端部を通す通路を有した外面当接部材とを備え、
前記本体と前記外面当接部材との間に前記対象物を位置させた状態で、前記係止部材を前記第２の孔に向かって前進させ、前記外面当接部材を移動させ前記対象物を介して前記本体の面に押し付けて前記対象物を固定する
ことを特徴とする固定方法。
【請求項６】
対象物を固定する固定方法であって、
対向する位置に孔と略円錐状の凹部又は略球面状の凹部とをそれぞれ有する本体と、
前記孔内に設けられ、先端に略円錐状の凸部又は略球面状の凸部を有する進退自在な係止部材と、
一端に前記係止部材の前記略円錐状の凸部又は略球面状の凸部に係止される略円錐状の凹部又は略球面状の凹部を有する第１のガイド部を、他端に前記本体の前記略円錐状の凹部又は略球面状の凹部に係止される略円錐状の凸部又は略球面状の凸部を有する第２のガイド部を、それぞれ有した外面当接部材とを備え、
前記外面当接部材の前記第２のガイド部を前記略円錐状の凹部又は略球面状の凹部に係止させ、前記本体と前記外面当接部材との間に前記対象物を位置させた状態で、前記係止部材を前記本体の前記略円錐状の凹部又は略球面状の凹部に向かって前進させ、前記外面当接部材を移動させ前記対象物を介して前記本体の面に押し付けて前記対象物を固定する
ことを特徴とする固定方法。
【発明の詳細な説明】
【技術分野】
【０００１】
本発明は、固定方法に係り、特に、固定のみならず、固定の解除も良好な固定方法に関する。
【背景技術】
【０００２】
例えば、図２５に示す部材１００に部材１０１、１０２を溶接したい場合、固定具１０５で、部材１０１を部材１０３に対して、部材１０２を部材１０４に対して、それぞれ押し付けて固定したい場合がある。
【発明の概要】
【発明が解決しようとする課題】
【０００３】
しかしながら、上記の場合、雄ネジ体１０５ａ、雄ネジ体１０５ｂを回動して取り付け、取り外しを行うため、例えば、雄ネジ体１０５ａの頭部を部材１０２と接触しながら、雄ネジ体１０５ｂの頭部を部材１０１と接触しながら、固定具１０５を固定しなければならず、摩擦抵抗が大きく固定しづらく、しかも、溶接後も、同様に、雄ネジ体１０５ａの頭部を部材１０２と接触しながら、雄ネジ体１０５ｂの頭部を部材１０１と接触しながら、固定具１０５を解除しなければならず、固定のみならず、固定の解除も容易でないという問題点が生じた。
【０００４】
本発明は、前記問題点を考慮したなされたもので、固定のみならず、固定の解除も良好な固定方法を提供することを目的とする。
【課題を解決するための手段】
【０００５】
請求項１記載の固定方法は、対象物を固定する固定方法であって、対向する位置に第１の孔と第２の孔とをそれぞれ有する本体と、この第１の孔内に設けられ、先端に略円錐状の凸部又は略球面状の凸部を有する進退自在な第１の係止部材と、前記第２の孔に設けられた雌ねじと、この雌ねじに螺合し、先端に略円錐状の凸部又は略球面状の凸部を有する第２の係止部材と、一端に前記第１の係止部材に係止される略円錐状の凹部又は略球面状の凹部を有する第１のガイド部を、他端に前記第２の係止部材に係止される略円錐状の凹部又は略球面状の凹部を有する第２のガイド部を、それぞれ有した外面当接部材と、少なくとも、対向する内壁面を有する第１の部材とを備え、前記本体は、前記対向する内壁面の内、一方の内壁面に取り付けられ、前記対向する内壁面の内、他方の内壁面と前記外面当接部材との間に前記対象物を位置させ、前記第１の係止部材を前記第２の係止部材に向かって前進させ、前記外面当接部材を外側に移動させ前記対象物を介して前記他方の内壁面に押し付けて前記対象物を固定するものである。
【０００６】
また、請求項２記載の固定方法は、対象物を固定する固定方法であって、対向する位置に第１の孔と第２の孔とをそれぞれ有する本体と、前記本体に設けられ、内部に前記第２の孔に連通する第３の孔を有し、外部形状が略円錐状の凸部又は略球面状の凸部を有する係止部と、先端に前記第２の孔の内径より小さい先端部、前記第１の孔の内径より小さい外径部、この外径部の前記先端部の側に設けられ、前記先端部の側に向かって先細りとなるテーパ部を備えた進退自在な係止部材と、一端に前記テーパ部に係止される略円錐状の凹部又は略球面状の凹部を有する第１のガイド部を、他端に前記係止部に係止される略円錐状の凹部又は略球面状の凹部を有する第２のガイド部を、それぞれ有し、前記第１のガイド部と前記第２のガイド部とに連通し、前記係止部材の前記先端部を通す通路を有した外面当接部材と、少なくとも、対向する内壁面を有する第１の部材とを備え、前記本体は、前記対向する内壁面の内、一方の内壁面に取り付けられ、前記対向する内壁面の内、他方の内壁面と前記外面当接部材との間に前記対象物を位置させ、前記係止部材の先端部を前記第２の孔内に位置させた状態で、前記係止部材を前記第２の孔に向かって前進させ、前記外面当接部材を外側に移動させ前記対象物を介して前記他方の内壁面に押し付けて前記対象物を固定するものである。
【０００７】
また、請求項３記載の固定方法は、対象物を固定する固定方法であって、対向する位置に孔と略円錐状の凹部又は略球面状の凹部とをそれぞれ有する本体と、前記孔内に設けられ、先端に略円錐状の凸部又は略球面状の凸部を有する進退自在な係止部材と、一端に前記係止部材の前記略円錐状の凸部又は略球面状の凸部に係止される略円錐状の凹部又は略球面状の凹部を有する第１のガイド部を、他端に前記本体の前記略円錐状の凹部又は略球面状の凹部に係止される略円錐状の凸部又は略球面状の凸部を有する第２のガイド部を、それぞれ有した外面当接部材と、少なくとも、対向する内壁面を有する第１の部材とを備え、前記本体は、前記対向する内壁面の内、一方の内壁面に取り付けられ、前記対向する内壁面の内、他方の内壁面と前記外面当接部材との間に前記対象物を位置させ、前記係止部材を前記本体の前記略円錐状の凹部又は略球面状の凹部に向かって前進させ、前記外面当接部材を外側に移動させ前記対象物を介して前記他方の内壁面に押し付けて前記対象物を固定するものである。
【０００８】
また、請求項４記載の固定方法は、対象物を固定する固定方法であって、対向する位置に第１の孔と第２の孔とをそれぞれ有する本体と、この第１の孔内に設けられ、先端に略円錐状の凸部又は略球面状の凸部を有する進退自在な第１の係止部材と、前記第２の孔に設けられた雌ねじと、この雌ねじに螺合し、先端に略円錐状の凸部又は略球面状の凸部を有する第２の係止部材と、一端に前記第１の係止部材に係止される略円錐状の凹部又は略球面状の凹部を有する第１のガイド部を、他端に前記第２の係止部材に係止される略円錐状の凹部又は略球面状の凹部を有する第２のガイド部を、それぞれ有した外面当接部材とを備え、前記本体と前記外面当接部材との間に前記対象物を位置させ、前記第１の係止部材を前記第２の係止部材に向かって前進させ、前記外面当接部材を移動させ前記対象物を介して前記本体の面に押し付けて前記対象物を固定するものである。
【０００９】
また、請求項５記載の固定方法は、対象物を固定する固定方法であって、対向する位置に第１の孔と第２の孔とをそれぞれ有する本体と、前記本体に設けられ、内部に前記第２の孔に連通する第３の孔を有し、外部形状が略円錐状の凸部又は略球面状の凸部を有する係止部と、先端に前記第２の孔の内径より小さい先端部、前記第１の孔の内径より小さい外径部、この外径部の前記先端部の側に設けられ、前記先端部の側に向かって先細りとなるテーパ部を備えた進退自在な係止部材と、一端に前記テーパ部に係止される略円錐状の凹部又は略球面状の凹部を有する第１のガイド部を、他端に前記係止部に係止される略円錐状の凹部又は略球面状の凹部を有する第２のガイド部を、それぞれ有し、前記第１のガイド部と前記第２のガイド部とに連通し、前記係止部材の前記先端部を通す通路を有した外面当接部材とを備え、前記本体と前記外面当接部材との間に前記対象物を位置させた状態で、前記係止部材を前記第２の孔に向かって前進させ、前記外面当接部材を移動させ前記対象物を介して前記本体の面に押し付けて前記対象物を固定するものである。
【００１０】
また、請求項６記載の固定方法は、対象物を固定する固定方法であって、対向する位置に孔と略円錐状の凹部又は略球面状の凹部とをそれぞれ有する本体と、前記孔内に設けられ、先端に略円錐状の凸部又は略球面状の凸部を有する進退自在な係止部材と、一端に前記係止部材の前記略円錐状の凸部又は略球面状の凸部に係止される略円錐状の凹部又は略球面状の凹部を有する第１のガイド部を、他端に前記本体の前記略円錐状の凹部又は略球面状の凹部に係止される略円錐状の凸部又は略球面状の凸部を有する第２のガイド部を、それぞれ有した外面当接部材とを備え、前記外面当接部材の前記第２のガイド部を前記略円錐状の凹部又は略球面状の凹部に係止させ、前記本体と前記外面当接部材との間に前記対象物を位置させた状態で、前記係止部材を前記本体の前記略円錐状の凹部又は略球面状の凹部に向かって前進させ、前記外面当接部材を移動させ前記対象物を介して前記本体の面に押し付けて前記対象物を固定するものである。
【発明の効果】
【００１１】
請求項１記載の固定方法によれば、本体は、対向する内壁面の内、一方の内壁面に取り付けられ、対向する内壁面の内、他方の内壁面と外面当接部材との間に対象物を位置させ、第１の係止部材を第２の係止部材に向かって前進させ、外面当接部材を外側に移動させ対象物を介して他方の内壁面に押し付けて前記対象物を固定するため、固定のみならず、固定の解除に力を要せず行うことができる。
【００１２】
また、請求項２記載の固定方法によれば、本体は、対向する内壁面の内、一方の内壁面に取り付けられ、対向する内壁面の内、他方の内壁面と外面当接部材との間に対象物を位置させ、係止部材の先端部を第２の孔内に位置させた状態で、係止部材を第２の孔に向かって前進させ、外面当接部材を外側に移動させ対象物を介して他方の内壁面に押し付けて対象物を固定するため、固定のみならず、固定の解除に力を要せず行うことができる。
【００１３】
また、請求項３記載の固定方法によれば、本体は、対向する内壁面の内、一方の内壁面に取り付けられ、対向する内壁面の内、他方の内壁面と外面当接部材との間に対象物を位置させ、係止部材を本体の略円錐状の凹部又は略球面状の凹部に向かって前進させ、外面当接部材を外側に移動させ対象物を介して他方の内壁面に押し付けて対象物を固定するため、固定のみならず、固定の解除に力を要せず行うことができる。
【００１４】
また、請求項４記載の固定方法によれば、本体と外面当接部材との間に対象物を位置させ、第１の係止部材を第２の係止部材に向かって前進させ、外面当接部材を移動させ対象物を介して本体の面に押し付けて対象物を固定するため、固定のみならず、固定の解除に力を要せず行うことができる。
【００１５】
また、請求項５記載の固定方法によれば、本体と外面当接部材との間に対象物を位置させた状態で、係止部材を第２の孔に向かって前進させ、外面当接部材を移動させ対象物を介して本体の面に押し付けて対象物を固定するため、固定のみならず、固定の解除に力を要せず行うことができる。
【００１６】
また、請求項６記載の固定方法によれば、外面当接部材の第２のガイド部を略円錐状の凹部又は略球面状の凹部に係止させ、本体と外面当接部材との間に対象物を位置させた状態で、係止部材を本体の略円錐状の凹部又は略球面状の凹部に向かって前進させ、外面当接部材を移動させ対象物を介して本体の面に押し付けて対象物を固定するため、固定のみならず、固定の解除に力を要せず行うことができる。
【図面の簡単な説明】
【００１７】
【図１】図１は、本発明の一実施例の固定方法によって固定した状態の概略的断面図である。
【図２】図２は、図１の２−２線による概略的断面図である。
【図３】図３は、図１の固定前の状態の概略的断面図である。
【図４】図４は、図１の外面当接部材が移動する前の状態の概略的断面図である。
【図５】図５は、図４の外面当接部材が移動した状態の概略的断面図である。
【図６】図６は、図５の概略的一部平面図である。
【図７】図７は、図６の他の実施例の概略的一部平面図である。
【図８】図８は、図１の他の実施例の固定方法によって固定した状態の概略的断面図である。
【図９】図９は、図８の他の実施例の固定方法によって固定する場合を示すもので、外面当接部材が移動する前の状態の概略的断面図である。
【図１０】図１０は、図９の外面当接部材が移動した状態の概略的断面図である。
【図１１】図１１は、図９の固定装置を分解して示す概略的図である。
【図１２】図１２は、図９の他の実施例の固定方法によって固定する場合を示すもので、外面当接部材が移動する前の状態の概略的断面図である。
【図１３】図１３は、図１２の外面当接部材が移動した状態の概略的断面図である。
【図１４】図１４は、図１２の固定装置を分解して示す概略的図である。
【図１５】図１５は、図１２の他の実施例の固定方法によって固定する場合を示すもので、外面当接部材が移動する前の状態の概略的断面図である。
【図１６】図１６は、図１５の外面当接部材が移動した状態の概略的断面図である。
【図１７】図１７は、図１５の他の実施例の固定方法によって固定した状態の概略的断面図である。
【図１８】図１８は、図１６の他の実施例の固定方法によって固定した状態の概略的断面図である。
【図１９】図１９は、図１８の他の実施例の固定方法によって固定する場合を示すもので、外面当接部材が移動する前の状態の概略的断面図である。
【図２０】図２０は、図１９の外面当接部材が移動した状態の概略的断面図である。
【図２１】図２１は、図１９の固定装置を分解して示す概略的図である。
【図２２】図２２は、図１９の他の実施例の固定方法によって固定する場合を示すもので、外面当接部材が移動する前の状態の概略的断面図である。
【図２３】図２３は、図２２の外面当接部材が移動した状態の概略的断面図である。
【図２４】図２４は、図２２の固定装置を分解して示す概略的図である。
【図２５】図２５は、従来例の対象物を示す概略的斜視図である。
【図２６】図２６は、図２５の対象物の固定方法を示す概略的断面図である。
【発明を実施するための形態】
【００１８】
本発明の一実施例の固定方法を図面（図１乃至図６）を参照して説明する。  
[実施例１（図１乃至図６）]
図１は、対象物１０を固定する固定方法（固定装置）を示すもので、該固定装置（固定方法）は、概略的に、本体１と、第１の部材２とから、概略的に構成されている。
【００１９】
本体１は、断面、略コの字形状をなし、図５に示すように、対向する位置に第１の孔１ａと第２の孔１ｂとをそれぞれ有し、第１の孔１ａには第１の雌ねじが、第２の孔１ｂには第２の雌ねじが、それぞれ設けられている。
また、図４及び図５に示す１１は第１の係止部材で、第１の係止部材１１は、第１の孔１ａに設けられた第１の雌ねじに螺合し、先端に略円錐状の凸部（又は略球面状の凸部）を有している。
また、１２は第２の係止部材で、第２の係止部材１２は、第２の孔１ｂに設けられた第２の雌ねじに螺合し、先端に略円錐状の凸部（又は略球面状の凸部）を有している。
また、１３は外面当接部材で、外面当接部材１３は、一端に第１の係止部材１１に係止される略円錐状の凹部（又は略球面状の凹部）を有する第１のガイド部１３ａを、他端に第２の係止部材１１に係止される略円錐状の凹部（又は略球面状の凹部）を有する第２のガイド部１３ｂを、それぞれ有している。
そして、対象物１０と当接しないフリーな場合であって、第１の係止部材１１の略円錐状の凸部（又は略球面状の凸部）を外面当接部材１３の第１のガイド部１３ａの略円錐状の凹部（又は略球面状の凹部）に向かって移動させ、移動できない位置まで達した状態では、第１の係止部材１１の略円錐状の凸部（又は略球面状の凸部）の先端と第２の係止部材１２の先端の略円錐状の凸部（又は略球面状の凸部）の先端とを結ぶ線と外面当接部材１３の第１のガイド部１３ａの略円錐状の凹部（又は略球面状の凹部）の底部と外面当接部材１３の第２のガイド部１３ｂの略円錐状の凹部（又は略球面状の凹部）の底部とを結ぶ線が一致し、第１の係止部材１１の略円錐状の凸部（又は略球面状の凸部）の先端と第２の係止部材１２の先端の略円錐状の凸部（又は略球面状の凸部）の先端とを結ぶ線と外面当接部材１３の側面は平行となっている。また、上述した第１の部材２は、少なくとも、対向する内壁面２ａを有している、例えば、円筒形状部材としたが、角柱状部材としても良い。
なお、上述の実施例においては、第１の孔１ａに第１の雌ねじを設け、第１の係止部材１１は、第１の孔１ａに設けられた第１の雌ねじに螺合するようにしたが、本願発明にあっては、これに限らず、図示しないが、第１の孔１ａに第１の雌ねじを設けず、第１の孔１ａ内に進退自在な第１の係止部材１１を設け[設けは、例えば、第１の孔１ａ内に第１の係止部材１１を遊嵌（遊びがある状態で嵌める）させ]、第１の係止部材１１を第２の孔１ｂに対して、進退するように、図示しないエアーシリンダーにより作動させるようにしても良い。
【００２０】
従って、図３に示す第１の部材２の対向する内壁面（２ａ１、２ａ２）２ａの内、一方の内壁面２ａ１に本体１を、例えば、図示しない粘着テープ、接着、溶接等により取り付け、第１の部材２の対向する内壁面（２ａ１、２ａ２）２ａの内、他方の内壁面２ａ２と外面当接部材１３との間に対象物１０を位置させる。
次に、第１の係止部材１１を第２の係止部材１２に向かって前進させ、例えば、図４に示すように、レンチ３０を用いて回転させて外面当接部材１３を外側に移動させる（第１の孔１ａ内に設けられた第１の係止部材１１にあっては、図示しないエアーシリンダーで第２の係止部材１２に向かって前進させて、外面当接部材１３を外側に移動させる。）。
そうすると、第１の係止部材１１の略円錐状の凸部（又は略球面状の凸部）は、外面当接部材１３の第１のガイド部１３ａの略円錐状の凹部（又は略球面状の凹部）に当接しながら移動するため、外面当接部材１３の第１のガイド部１３ａも移動することとなる。
その結果、外面当接部材１３の外表面が対象物１０に当接し、外面当接部材１３を介して第１の部材２の内壁面２ａに押し付けて対象物１０を固定することができる（図１乃至図５参照）。
なお、外面当接部材１３は、図６に示す円柱でも良いが、図７に示すように、角柱であっても良い。
【００２１】
この実施例の固定方法（固定装置）によれば、本体１は、対向する内壁面２ａの内、一方の内壁面に取り付けられ、対向する内壁面２ａの内、他方の内壁面と外面当接部材１３との間に対象物１０を位置させ、第１の係止部材１１を第２の係止部材１２に向かって前進させ、外面当接部材１３を外側に移動させ対象物１０を介して他方の内壁面に押し付けて対象物１０を固定するため、固定のみならず、固定の解除に力を要せず行うことができる。
【００２２】
[実施例２（図８）]
また、上述した実施例においては、対象物１０と当接しないフリーな場合であって、第１の係止部材１１の略円錐状の凸部（又は略球面状の凸部）を外面当接部材１３の第１のガイド部１３ａの略円錐状の凹部（又は略球面状の凹部）に向かって移動させ、移動できない位置まで達した状態では、第１の係止部材１１の略円錐状の凸部（又は略球面状の凸部）の先端と第２の係止部材１２の先端の略円錐状の凸部（又は略球面状の凸部）の先端とを結ぶ線と外面当接部材１３の第１のガイド部１３ａの略円錐状の凹部（又は略球面状の凹部）の底部と外面当接部材１３の第２のガイド部１３ｂの略円錐状の凹部（又は略球面状の凹部）の底部とを結ぶ線が一致し、第１の係止部材１１の略円錐状の凸部（又は略球面状の凸部）の先端と第２の係止部材１２の先端の略円錐状の凸部（又は略球面状の凸部）の先端とを結ぶ線と外面当接部材１３の側面は平行となっているが、本願発明にあっては、これに限らず、図８の固定方法でも良い。
即ち、外面当接部材１３の側面形状は、図８に示すように、窪んでいても良い。図８に示すＡは、窪み部である。
【００２３】
[実施例３（図９乃至図１１）]
また、図９乃至図１１に示す実施例は、上述した実施例と異なるもので、図９乃至図１１に示す固定方法（固定装置）は、概略的に、本体１と、第１の部材２とから、概略的に構成されている。 図９及び図１０の第１の部材２は、図１及び図２記載の第１の部材２と同様のものである。                     
本体１は、断面、略コの字形状をなし、図１１に示すように、対向する位置に第１の孔１ａと第２の孔１ｂとをそれぞれ有し、第２の孔１ｂには雌ねじが設けられている。
また、図１１に示す３は係止部で、係止部３は、本体１に溶接、一体成形等により一体的に設けられ、内部に第２の孔１ｂに連通する第３の孔３ａを有し、外部形状が略円錐状の凸部又は略球面状の凸部を有している。
また、図９乃至図１１に示す１４は係止部材で、係止部材１４は、長手方向に長い長手形状部材で、第２の孔１ｂの内径より小さい先端部１４ａ（具体的には、先端に第２の孔１ｂに形成された雌ねじに螺合する雄ねじで形成された先端部１４ａ）、先端部１４ａより遠い側の端部に第１の孔１ａの内径より小さい外径部１４ｂ、外径部１４ｂの先端部１４ａの側に設けられ、先端部１４ａの側に向かって先細りとなるテーパ部１４ｃ、外径部１４ｂの端部にレンチ３０に係止する凹部１４ｄを備えている。
また、１３は外面当接部材で、外面当接部材１３は、一端にテーパ部１４ｃに係止される略円錐状の凹部（又は略球面状の凹部）を有する第１のガイド部１３ａを、他端に係止部３に係止される略円錐状の凹部（又は略球面状の凹部）を有する第２のガイド部１３ｂを、第１のガイド部１３ａと第２のガイド部１３ｂとに連通し、係止部材１４の先端部１４ａを通す通路１３ｃを、それぞれ有している。
そして、対象物１０と当接しないフリーな場合であって、係止部材１４の先端を通路１３ｃを通すと共に、先端部１４ａを第２の孔１ｂの雌ねじに螺合させ、第１のガイド部１３ａをテーパ部１４ｃ、第２のガイド部１３ｂを係止部３に、それぞれ係止させ、外径部１４ｂを第１の孔１ａに遊嵌（遊びがある状態で嵌めること）させた状態では、係止部材１４の中心と第１の孔１ａの中心と第２の孔１ｂの中心と第３の孔３ａの中心とは、一直線上にあり、図１０の状態にあっては、前記一直線と外面当接部材１３の側面とは平行となっている。
また、図９及び図１０の第１の部材２は、図１に示した第１の部材２と同様のもので、少なくとも、対向する内壁面２ａを有している。
なお、上述の実施例においては、第２の孔１ｂに雌ねじを設け、係止部材１１は、第２の孔１ｂに設けられた雌ねじに螺合するようにしたが、本願発明にあっては、これに限らず、図示しないが、第２の孔１ｂに雌ねじを設けないと共に、係止部材１１の先端部１４ａにも雄ネジを設けず、つまり、第２の孔１ｂ内に進退自在な係止部材１１の先端に雄ネジを形成しない先端部１４ａを設け[設けは、例えば、第２の孔１ｂ内に係止部材１１の雄ネジを設けていない先端部１４ａを遊嵌（遊びがある状態で嵌める）させ]、係止部材１１を第１の孔１ａから第２の孔１ｂに向かって、進退するように、図示しないエアーシリンダーにより作動させるようにしても良い。
【００２４】
従って、第１の部材２の対向する内壁面２ａの内、一方の内壁面２ａ１に本体１を、例えば、図示しない粘着テープ、接着、溶接等により取り付け、第１の部材２の対向する内壁面２ａの内、他方の内壁面（図９及び図１０においては、他方の内壁面を省略している。）と外面当接部材１３との間に対象物１０を位置させる。
つまり、本体１は、対向する内壁面２ａの内、一方の内壁面２ａ１に取り付けられ、対向する内壁面２ａの内、他方の内壁面と外面当接部材１３との間に対象物１０を位置させ、係止部材１４の先端部１４ａを第２の孔１ｂ内に位置させた状態（図９及び図１０で言えば、係止部材１４の先端部１４ａを第２の孔１ｂの雌ねじに螺合させた状態）で係止部材１４を第２の孔１ｂに向かって前進させ、具体的には、係止部材１４を、例えば、図１０に示すように、レンチ３０を用いて回転させて、係止部材１４を第２の孔１ｂに向かって前進させ、外面当接部材１３を外側に移動させ対象物１０を介して他方の内壁面に押し付けて対象物を固定することができる（図１０参照）。
【００２５】
この実施例の固定方法（固定装置）によれば、本体１は、対向する内壁面２ａの内、一方の内壁面２ａ１に取り付けられ、対向する内壁面２ａの内、他方の内壁面と外面当接部材１３との間に対象物１０を位置させ、係止部材１４の先端部１４ａを第２の孔１ｂ内に位置させた状態で、係止部材１４を第２の孔１ｂに向かって前進させ、外面当接部材１３を外側に移動させ対象物１０を介して他方の内壁面に押し付けて対象物１０を固定するため、固定のみならず、固定の解除に力を要せず行うことができる。
【００２６】
[実施例４（図１２乃至図１４）]
また、図１２乃至図１４に示す実施例は、上述した実施例と異なるもので、図１２乃至図１４に示す固定方法（固定装置）は、概略的に、本体１と、第１の部材２とから、概略的に構成されている。
本体１は、断面、略コの字形状をなし、図１４に示すように、対向する位置に孔１ａと略円錐状の凹部（又は略球面状の凹部）１ｃとをそれぞれ有し、孔１ａには雌ねじが設けられている。
また、図１４に示す１１は進退自在な係止部材で、係止部材１１は、第１の孔１ａに設けられた雌ねじに螺合し、先端に略円錐状の凸部（又は略球面状の凸部）１１ａを有している。
また、１３は外面当接部材で、外面当接部材１３は、一端に係止部材１１に係止される略円錐状の凹部（又は略球面状の凹部）を有する第１のガイド部１３ａを、他端に略円錐状の凹部（又は略球面状の凹部）１ｃに係止される略円錐状の凸部（又は略球面状の凸部）を有する第２のガイド部１３ｄを、それぞれ有している。
そして、対象物１０と当接しないフリーな場合であって、係止部材１１を第１の孔１ａに設けられた雌ねじに螺合し、係止部材１１の先端を第１のガイド部１３ａに、外面当接部材１３の先端の略円錐状の凸部（又は略球面状の凸部）を有する第２のガイド部１３ｄを略円錐状の凹部（又は略球面状の凹部）１ｃに、それぞれ係止させた状態では、係止部材１４の中心と第１の孔１ａの中心と外面当接部材１３の中心と略円錐状の凹部（又は略球面状の凹部）１ｃの中心とは、一直線上にあり、図１３の状態にあっては、前記一直線と外面当接部材１３の側面とは平行となっている。
また、図１２及び図１３の第１の部材２は、図１及び図２記載の第１の部材２と同様のもので、少なくとも、対向する内壁面２ａを有している。
なお、上述の実施例においては、孔１ａに雌ねじを設け、進退自在な係止部材１１は、孔１ａに設けられた雌ねじに螺合するようにしたが、本願発明にあっては、これに限らず、図示しないが、孔１ａに雌ねじを設けず、孔１ａ内に進退自在な係止部材１１を設け[設けは、例えば、孔１ａ内に係止部材１１を遊嵌（遊びがある状態で嵌める）させ]、係止部材１１を略円錐状の凹部（又は略球面状の凹部）１ｃに対して、進退するように、図示しないエアーシリンダーにより作動させるようにしても良い。
【００２７】
従って、第１の部材２の対向する内壁面２ａの内、一方の内壁面２ａ１に本体１を、例えば、図示しない粘着テープ、接着、溶接等により取り付け、第１の部材２の対向する内壁面２ａの内、他方の内壁面（図１２及び図１３においては、他方の内壁面を省略している。）と外面当接部材１３との間に対象物１０を位置させ、係止部材１１を本体１の略円錐状の凹部（又は略球面状の凹部）１ｃに向かって前進させる。
具体的には、係止部材１１を第１の孔１ａに設けられた雌ねじに螺合し、係止部材１１の先端を第１のガイド部１３ａに、外面当接部材１３の先端の略円錐状の凸部（又は略球面状の凸部）を有する第２のガイド部１３ｄを略円錐状の凹部（又は略球面状の凹部）１ｃに、それぞれ係止させた状態で、第１の部材２の内壁面２ａと本体１との間に対象物１０を位置させる（図１２及び図１３においては、対向する内壁面２ａの一方を省略している。）。
次に、係止部材１１を、例えば、図１３に示すように、レンチ３０を用いて回転させて、係止部材１１を回転させて、係止部材１１を略円錐状の凹部（又は略球面状の凹部）１ｃに向かって前進させ、外面当接部材１３を外側に移動させ対象物１０を介して第１の部材２の内壁面２ａに押し付けて対象物１０を固定することができる（図１３参照）。
【００２８】
この実施例の固定方法（固定装置）によれば、本体１は、対向する内壁面２ａの内、一方の内壁面２ａ１に取り付けられ、対向する内壁面２ａの内、他方の内壁面（図１２及び図１３においては、他方の内壁面を省略している。）と外面当接部材１３との間に対象物１０を位置させ、係止部材１１を本体１の略円錐状の凹部（又は略球面状の凹部）１ｃに向かって前進させ、外面当接部材１３を外側に移動させ対象物１０を介して他方の内壁面に押し付けて対象物１０を固定するため、固定のみならず、固定の解除に力を要せず行うことができる。
【００２９】
[実施例５（図１５及び図１６）]
また、図１５及び図１６に示す実施例は、上述した実施例と異なるもので、図１５及び図１６に示す固定方法（固定装置）は、概略的に、図１に示す本体１、第１の部材２の内、第１の部材２を省略したもので、対象物１０’を本体１と外面当接部材１３との間に位置させるものである。なお、図１５及び図１６に示す実施例においては、図１乃至図５に示す本体１と同様であるため、図１乃至図５と同一部分については、同一符号を付して説明を省略する。
なお、Ｓは本体１を載置する載置台である。
即ち、本体１と外面当接部材１３との間に対象物１０’を位置させ、第１の係止部材１１を第２の係止部材１２に向かって前進［前進は、第１の孔１ａに第１の雌ねじを設け、第１の係止部材１１は、第１の孔１ａに設けられた第１の雌ねじに螺合する場合にあっては、レンチ３０を使って第１の係止部材１１を回転させ、後述する第１の孔１ａに第１の雌ねじを設けず、第１の孔１ａ内に進退自在な第１の係止部材１１を設け[設けは、例えば、第１の孔１ａ内に第１の係止部材１１を遊嵌（遊びがある状態で嵌める）させる場合にあっては、図示しないエアーシリンダーを作動させる。］させ、外面当接部材１３を移動させ対象物１０’を介して本体１の面１ｄに押し付けて対象物１０’を固定することができる（図１５及び図１６参照）。
なお、上述の実施例においては、第１の孔１ａに第１の雌ねじを設け、第１の係止部材１１は、第１の孔１ａに設けられた第１の雌ねじに螺合するようにしたが、本願発明にあっては、これに限らず、図示しないが、第１の孔１ａに第１の雌ねじを設けず、第１の孔１ａ内に進退自在な第１の係止部材１１を設け[設けは、例えば、第１の孔１ａ内に第１の係止部材１１を遊嵌（遊びがある状態で嵌める）させ]、第１の係止部材１１を第２の孔１ｂに対して、進退するように、図示しないエアーシリンダーにより作動させるようにしても良い。
この実施例の固定方法によれば、本体１と外面当接部材１３との間に対象物１０’を位置させ、第１の係止部材１１を第２の係止部材１２に向かって前進させ、外面当接部材１３を移動させ対象物１０’を介して本体１の面１ｄに押し付けて対象物１０’を固定するため、固定のみならず、固定の解除に力を要せず行うことができる。
なお、第１の係止部材１１の進退手段は、レンチ３０に限らず、例えば、図１７に示すような第１の係止部材１１に設けた摘み部１１Ａを利用しても良い。
【００３０】
[実施例６（図１８）]
また、上述した図１６及び図１７の実施例においては、対象物１０’と当接しないフリーな場合であって、第１の係止部材１１の略円錐状の凸部（又は略球面状の凸部）を外面当接部材１３の第１のガイド部１３ａの略円錐状の凹部（又は略球面状の凹部）に向かって移動させ、移動できない位置まで達した状態では、第１の係止部材１１の略円錐状の凸部（又は略球面状の凸部）の先端と第２の係止部材１２の先端の略円錐状の凸部（又は略球面状の凸部）の先端とを結ぶ線と外面当接部材１３の第１のガイド部１３ａの略円錐状の凹部（又は略球面状の凹部）の底部と外面当接部材１３の第２のガイド部１３ｂの略円錐状の凹部（又は略球面状の凹部）の底部とを結ぶ線が一致し、第１の係止部材１１の略円錐状の凸部（又は略球面状の凸部）の先端と第２の係止部材１２の先端の略円錐状の凸部（又は略球面状の凸部）の先端とを結ぶ線と外面当接部材１３の側面は平行となっているが、本願発明にあっては、これに限らず、図１８の固定方法でも良い。
即ち、外面当接部材１３の側面形状は、図１８に示すように、窪んでいても良い。図１８に示すＡは、窪み部を示す。
【００３１】
[実施例７（図１９乃至図２１）]
また、図１９乃至図２１に示す実施例は、上述した実施例と異なるもので、図１９乃至図２１に示す固定方法（固定装置）は、概略的に、図９及び図１０に示す本体１、第１の部材２の内、第１の部材２を省略したもので、対象物１０’を本体１と外面当接部材１３との間に位置させるものである。なお、図１９乃至図２１に示す実施例においては、図９乃至図１１に示す本体１と同様であるため、図９乃至図１１と同一部分については、同一符号を付して説明を省略する。
なお、Ｓは本体１を載置する載置台である。
即ち、本体１と外面当接部材１３との間に対象物１０’を位置させた状態で、係止部材１４を第２の孔１ｂに向かって前進させ、具体的には、係止部材１４の先端に雄ネジを形成した先端部１４ａを第２の孔１ｂの雌ねじに螺合させ、本体１と外面当接部材１３との間に対象物１０’を位置させた状態で、係止部材１４を回転させて第２の孔１ｂに向かって前進させ、外面当接部材１３を移動させ対象物１０’を介して本体１の面１ｄに押し付けて対象物１０’を固定することができる（図１９及び図２０参照）。
なお、上述の実施例においては、第２の孔１ｂに雌ねじを設け、係止部材１１は、第２の孔１ｂに設けられた雌ねじに螺合するようにしたが、本願発明にあっては、これに限らず、図示しないが、第２の孔１ｂに雌ねじを設けないと共に、係止部材１１の先端部１４ａにも雄ネジを設けず、つまり、第２の孔１ｂ内に進退自在な係止部材１１の先端に雄ネジを形成しない先端部１４ａを設け[設けは、例えば、第２の孔１ｂ内に係止部材１１の雄ネジを設けていない先端部１４ａを遊嵌（遊びがある状態で嵌める）させ]、係止部材１１を第１の孔１ａから第２の孔１ｂに向かって、進退するように、図示しないエアーシリンダーにより作動させるようにしても良い。
この実施例の固定方法によれば、本体１と外面当接部材１３との間に対象物１０’を位置させた状態で、係止部材１１を第２の孔１ｂに向かって前進させ、外面当接部材１３を移動させ対象物１０’を介して本体１の面１ｄに押し付けて対象物１０’を固定するため、固定のみならず、固定の解除に力を要せず行うことができる。
【００３２】
[実施例８（図２２乃至図２４）]
また、図２２乃至図２４に示す実施例は、上述した実施例と異なるもので、図２２乃至図２４に示す固定方法（固定装置）は、概略的に、図１２及び図１３に示す本体１、第１の部材２の内、第１の部材２を省略したもので、対象物１０’を本体１と外面当接部材１３との間に位置させるものである。なお、図２２乃至図２４に示す実施例においては、図１２乃至図１４に示す本体１と同様であるため、図１２乃至図１４と同一部分については、同一符号を付して説明を省略する。
なお、Ｓは本体１を載置する載置台である。
即ち、外面当接部材１３の第２のガイド部１３ｄを略円錐状の凹部（又は略球面状の凹部）１ｃに係止させ、本体１と外面当接部材１３との間に対象物１０’を位置させた状態で、係止部材１１を回転させて略円錐状の凹部（又は略球面状の凹部）１ｃに向かって前進させ、外面当接部材１３を内側に移動させ対象物１０’を介して本体１の面１ｄに押し付けて対象物１０’を固定することができる（図１９及び図２０参照）。
なお、上述の実施例においては、孔１ａに雌ねじを設け、進退自在な係止部材１１は、孔１ａに設けられた雌ねじに螺合するようにしたが、本願発明にあっては、これに限らず、図示しないが、孔１ａに雌ねじを設けず、孔１ａ内に進退自在な係止部材１１を設け[設けは、例えば、孔１ａ内に係止部材１１を遊嵌（遊びがある状態で嵌める）させ]、係止部材１１を略円錐状の凹部（又は略球面状の凹部）１ｃに対して、進退するように、図示しないエアーシリンダーにより作動させるようにしても良い。
この実施例の固定方法によれば、外面当接部材１３の第２のガイド部１３ｄを略円錐状の凹部（又は略球面状の凹部）１ｃに係止させ、本体１と外面当接部材１３との間に対象物１０’を位置させた状態で、係止部材１１を本体１の略円錐状の凹部（又は略球面状の凹部）１ｃに向かって前進させ、外面当接部材１３を移動させ、対象物１０’を介して本体１の面１ｄに押し付けて固定するため、固定のみならず、固定の解除に力を要せず行うことができる。
【符号の説明】
【００３３】
１      本体
２      第１の部材
２ａ    内壁面
２ａ１  一方の内壁面
２ａ２  他方の内壁面
１０    対象物
１１    第１の係止部材
１２    第２の係止部材
１３    外面当接部材
【図１】
2013185630.tif 000003
【図２】
2013185630.tif 000004
【図３】
2013185630.tif 000005
【図４】
2013185630.tif 000006
【図５】
2013185630.tif 000007
【図６】
2013185630.tif 000008
【図７】
2013185630.tif 000009
【図８】
2013185630.tif 000010
【図９】
2013185630.tif 000011
【図１０】
2013185630.tif 000012
【図１１】
2013185630.tif 000013
【図１２】
2013185630.tif 000014
【図１３】
2013185630.tif 000015
【図１４】
2013185630.tif 000016
【図１５】
2013185630.tif 000017
【図１６】
2013185630.tif 000018
【図１７】
2013185630.tif 000019
【図１８】
2013185630.tif 000020
【図１９】
2013185630.tif 000021
【図２０】
2013185630.tif 000022
【図２１】
2013185630.tif 000023
【図２２】
2013185630.tif 000024
【図２３】
2013185630.tif 000025
【図２４】
2013185630.tif 000026
【図２５】
2013185630.tif 000027
【図２６】
2013185630.tif 000028